(57)【要約】【課題】  重量の大きい破砕物等と、軽いプラスチック類、木片等とを精度よく選別することができる旋回気流による選別装置を提供する。【解決手段】  逆截頭円錐形状のケーシング２を立設し、共通中心軸Ｃに沿って回転軸１１を設け、回転軸に分散板１５を固定すると共に分散板に分散羽根１６を設け、ケーシングの上部開口から投入される廃棄物を分散羽根１６の回転によりケーシングの内周側面５ｄの方向に飛ばし得るように構成し、分散板１５より低位置に、ケーシング内において上部開口５ｃに向かう旋回空気流を発生させるための空気噴射部９を設け、ケーシング内の内周側面の方向に飛んだ廃棄物の内、軽量物を旋回気流によって上方に吹き飛ばして上部開口５ｃを介してケーシング外部に排出し、廃棄物の内、重量物はケーシングの下部開口３ｂから下方に排出し得るように構成した。【選択図】  図１
2015223536.tif 000002
【特許請求の範囲】
【請求項１】
逆截頭円錐形状の上下開口のケーシングを共通中心軸を以って立設し、該共通中心軸に沿って回転軸を設け、上記ケーシング内に上記回転軸と共に回転する分散板を設け、当該分散板に複数の分散羽根を配設し、上記ケーシングの上部開口から該ケーシング内に投入される廃棄物を、上記分散羽根の回転により当該ケーシングの内周側面の方向に飛ばし得るように構成し、
上記分散板より低位置の上記ケーシングにおいて、上記ケーシング内で旋回気流を発生させるための空気噴射部を設け、
上記ケーシング内の上記内周側面の方向に飛んだ上記廃棄物の内、軽量物を上記旋回気流によって上方に吹き飛ばし、上記上部開口から上記ケーシング外部に排出し得るように構成し、
上記廃棄物の内、重量物は上記ケーシングの下部開口から下方に排出し得るように構成したものであることを特徴とする旋回気流による選別装置。
【請求項２】
上記分散板は上記共通中心軸を中心とする円盤であり、当該円盤と上記ケーシング内周側面との間に円環状空間を形成し、
上記空気噴射部から噴射された上記旋回気流は、上記円環状空間を通って上記ケーシングの上記上部開口に至るものであることを特徴とする請求項１記載の旋回気流による選別装置。
【請求項３】
上記分散板は、上記回転軸に沿って上下方向に位置調整可能としたものであることを特徴とする請求項１又は２記載の旋回気流による選別装置。
【請求項４】
上記分散板は、その回転数を変更可能に構成したものであることを特徴とする請求項１〜３の何れかに記載の旋回気流による選別装置。
【請求項５】
上記ケーシングを、上記共通中心軸に沿って側面の傾斜角度が異なる複数の逆截頭円錐形状のケーシングにより構成し、
上記分散羽根により上記廃棄物が飛ばされる位置に対応するケーシングの側面の傾斜角度は、他の位置のケーシングの側面の傾斜角度に比べて緩やかであることを特徴とする請求項１〜４の何れかに記載の旋回気流による選別装置。
【請求項６】
上記空気噴射部は、上記ケーシング側面に該ケーシング内部に連通する複数の空気導入管を設け、上記空気導入管を介して上記ケーシング内に空気を噴射する構成とし、
これらの空気導入管から上記ケーシングの内部方向に空気を噴射することにより、上記旋回気流を発生させるものであることを特徴とする請求項１〜５の何れかに記載の旋回気流による選別装置。
【請求項７】
上記空気噴射部は、上記ケーシング内の上記分散板の下方位置における上記回転軸の周りに設けられ、上記ケーシングの外部方向に向かう空気を噴射する複数の空気噴射ノズルにより構成し、
これらの空気噴射ノズルから空気を噴射することにより、上記ケーシングの上記内周側面の方向に上記旋回気流を発生させるものであることを特徴とする請求項１〜５の何れかに記載の旋回気流による選別装置。
【請求項８】
上記ケーシングの上記上部開口に上記軽量物の回収用円筒を接続し、当該回収用円筒の側面の排出口から上記軽量物を排出し得るように構成したものであることを特徴とする請求項１〜７の何れかに記載の旋回気流による選別装置。
【請求項９】
上記ケーシングの上記上部開口の上縁部を上記上部開口に沿って開放し、上記上部開口からケーシング外部に排出される上記軽量物の受部を、上記上部開口の外周側面に接続したものであることを特徴とする請求項１〜７の何れかに記載の旋回気流による選別装置。
【請求項１０】
請求項６における上記空気噴射部と、請求項７における上記空気噴射部とを１つの上記ケーシングに両方設け、
両方の上記空気噴射部から空気を噴射することにより、上記ケーシング内において同一方向の旋回気流を発生し得るように構成したものであることを特徴とする旋回気流による選別装置。
【発明の詳細な説明】
【技術分野】
【０００１】
本発明は、例えば建築廃材等の廃棄物中の重量の大きいがれき類、砕石等の破砕物（重量物）と、軽いプラスチック類（プラスチックチップ、板等）、木片等（軽量物）とを精度よく選別することができる旋回気流による選別装置に関するものである。
【背景技術】
【０００２】
従来、この種の選別装置として、逆円錐形のケーシングの上部に廃材投入口を設け、当該ケーシングの側面から該ケーシング内にエアを導入し上記ケーシング内に螺旋状の空気流を発生させると共に、ケーシング内部中央に内筒を立設し、上記投入口から投入された混合廃材を上記内筒に当接させてケーシング内で散乱させ、散乱した混合廃材の内、軽量物を上記空気流に乗せて円錐ケーシング上部の排出口から排出し、重量物は上記円錐ケーシング下端排出口から下方に排出する構造のものが提案されている（特許文献１）。
【０００３】
また、ハードプラスチック類等の非浮遊物とプラスチックフィルム類等の浮遊物を分別するため、直線コンベアの側面に噴射ノズルを設け、コンベアに向けて空気を噴射することで、コンベア上の浮遊物をコンベアの対向側面側で回収する装置が提案されている（特許文献２）。
【先行技術文献】
【特許文献】
【０００４】
【特許文献１】特開２００３−１５９５６７号公報
【特許文献２】特開２００８−１９４６２４号公報
【発明の概要】
【発明が解決しようとする課題】
【０００５】
ところで、上記特許文献１の装置は、上部の投入口からケーシング内に投入された廃材を内筒の上端部に衝突させ散乱させることにより、重量物と軽量物とを分離する構成であるが、より高い精度にて重量物と軽量物とを選別するためには、軽量物を空気流により飛ばす前に、重量物と軽量物とを確実に分離し得る技術が望まれている。
【０００６】
上記特許文献２の装置は、直線コンベアの進行方向に対して直交する方向に空気を噴射するものであるから、ハードプラスチックに空気が当たる面が一方向である。従って、上記特許文献１と同様に、選別精度を高めるためには、確実かつ効率的に重量物と軽量物とを分離することが課題となる。
【０００７】
本発明は、上記従来の課題に鑑みてなされたものであり、建築廃材等の廃棄物中の重量の大きいがれき類、砕石等の破砕物（重量物）と、軽いプラスチック類（プラスチックチップ、板等）、木片等（軽量物）とを確実に分離し、精度よく選別することができる旋回気流による選別装置を提供することを目的とする。
【課題を解決するための手段】
【０００８】
上記の目的を達成するため本発明は、
第１に、逆截頭円錐形状の上下開口のケーシングを共通中心軸を以って立設し、該共通中心軸に沿って回転軸を設け、上記ケーシング内に上記回転軸と共に回転する分散板を設け、当該分散板に複数の分散羽根を配設し、上記ケーシングの上部開口から該ケーシング内に投入される廃棄物を、上記分散羽根の回転により当該ケーシングの内周側面の方向に飛ばし得るように構成し、上記分散板より低位置の上記ケーシングにおいて、上記ケーシング内で旋回気流を発生させるための空気噴射部を設け、上記ケーシング内の上記内周側面の方向に飛んだ上記廃棄物の内、軽量物を上記旋回気流によって上方に吹き飛ばし、上記上部開口から上記ケーシング外部に排出し得るように構成し、上記廃棄物の内、重量物は上記ケーシングの下部開口から下方に排出し得るように構成したものであることを特徴とする旋回気流による選別装置により構成される。
【０００９】
上記回転軸は回転シャフト（１１）により構成することができる。上記ケーシングは例えば下部ケーシング（３）、中間ケーシング（４）、上部ケーシング（５）により構成することができる。上記空気噴射部は例えば複数の空気導入管（９）及びケーシングに形成された複数の貫通孔（６ｆ）により構成し、ケーシング外部からケーシング内部に空気を噴射して旋回気流（Ｂ’）を発生させても良いし（図３参照）、上記ケーシング内中央部に複数の空気噴射ノズル（２１）を設け、これら空気噴射ノズル（２１）からケーシング内周側面の方向に旋回気流（Ｆ’）を発生させても良い（図７参照）。上記分散羽根に衝突した廃棄物は、当該分散羽根の回転によりケーシングの内周側面の方向に飛ばされるが、廃棄物の重量物と軽量物はその重量差に基づく軌跡差を以って飛ばされ、従ってケーシング内の全周に亘って軌跡差によって重量物と軽量物を空間的に分離することができる。ケーシング内周側面の近傍まで飛ばされた軽量物は上向き旋回気流によって上方に飛ばされ、上記ケーシングの上部開口からケーシング外部に排出される。上記重量物は上記分散羽根によって飛ばされた後、その重量によって下方に落下し、ケーシング下部開口から下方に排出し得る。このように、回転する分散板によって、逆截頭円錐形状のケーシング内の全周に亘って重量物と軽量物の分離作用を行うことができるため、重量物と軽量物とを精度良く選別することができる。
【００１０】
第２に、上記分散板は上記共通中心軸を中心とする円盤であり、当該円盤と上記ケーシング内周側面との間に円環状空間を形成し、上記空気噴射部から噴射された上記旋回気流は、上記円環状空間を通って上記ケーシングの上記上部開口に至るものであることを特徴とする上記第１記載の旋回気流による選別装置により構成される。
【００１１】
このように構成すると、上記旋回気流は狭い上記円環状空間を通過して上記ケーシングの上部開口に向かうので、上記円環状空間を通過した後もその流速が低下することなく、ケーシング内周側面に沿う旋回気流を維持し得る。よって、例えば木片等の比較的重量大の軽量物であっても確実に上方に吹き飛ばすことができる。
【００１２】
第３に、上記分散板は、上記回転軸に沿って上下方向に位置調整可能としたものであることを特徴とする上記第１又は２記載の旋回気流による選別装置により構成される。
【００１３】
このように構成すると、上記分散板を上下方向に位置調整することにより、分散板とケーシング内周側面との間に形成される円環状空間の幅を調整することができる。例えば、軽量物として木片等を含まず、比較的軽い軽量物のみである場合は、上記分散板の位置を上方位置として円環状空間の幅を広く構成し、例えば木片等の比較的重量大の軽量物を含む場合は、上記分散板の位置を低下させ円環状空間の幅を狭くすることにより、旋回気流の流速を高め、重量物と軽量物の選別精度を向上させることができる。
【００１４】
第４に、上記分散板は、その回転数を変更可能に構成したものであることを特徴とする上記第１〜３の何れかに記載の旋回気流による選別装置により構成される。
【００１５】
このように構成すると、分散板の回転数を、廃棄物の種類、処理量、粒度等に応じて最適の値に調節することができ、より精度の高い選別を行うことができる。
【００１６】
第５に、上記ケーシングを、上記共通中心軸に沿って側面の傾斜角度が異なる複数の逆截頭円錐形状のケーシングにより構成し、上記分散羽根により上記廃棄物が飛ばされる位置に対応するケーシングの側面の傾斜角度は、他の位置のケーシングの側面の傾斜角度に比べて緩やかであることを特徴とする上記第１〜４の何れかに記載の旋回気流による選別装置により構成される。
【００１７】
廃棄物が飛ばされる位置におけるケーシング側面の傾斜角度を緩やかにすることにより、より小さな力で軽量物をケーシング側面の内周側面に沿って上昇に持ち上げることができ、非常に効率的な選別装置を実現し得る。
【００１８】
第６に、上記空気噴射部は、上記ケーシング側面に該ケーシング内部に連通する複数の空気導入管を設け、上記空気導入管を介して上記ケーシング内に空気を噴射する構成とし、これらの空気導入管から上記ケーシングの内部方向に空気を噴射することにより、上記旋回気流を発生させるものであることを特徴とする上記第１〜５の何れかに記載の旋回気流による選別装置により構成される。
【００１９】
上記内部方向とは、ケーシング内周側面から該内周側面に沿って該ケーシングの中心部に向かう方向をいう。このように構成すると、ケーシング内に、その内周側面に沿う旋回気流を容易に発生させることができる。
【００２０】
第７に、上記空気噴射部は、上記ケーシング内の上記分散板の下方位置における上記回転軸の周りに設けられ、上記ケーシングの外部方向に向かう空気を噴射する複数の空気噴射ノズルにより構成し、これらの空気噴射ノズルから空気を噴射することにより、上記ケーシングの上記内周側面の方向に上記旋回気流を発生させるものであることを特徴とする上記第１〜５の何れかに記載の旋回気流による選別装置により構成される。
【００２１】
上記外部方向とは、上記空気噴射ノズルからケーシングの内周側面に向かう方向をいう。このように構成すると、ケーシング内に、回転軸の周りから外部方向に向かう旋回気流を容易に発生させることができる。
【００２２】
第８に、上記ケーシングの上記上部開口に上記軽量物の回収用円筒を接続し、当該回収用円筒の側面の排出口から上記軽量物を排出し得るように構成したものであることを特徴とする上記第１〜７の何れかに記載の旋回気流による選別装置により構成される。
【００２３】
このように構成すると、上記旋回気流により上記ケーシングの上部開口に到達した軽量物を、上記回収用円筒を通過して上記排出口からケーシング外部に排出することができる。
【００２４】
第９に、上記ケーシングの上記上部開口の上縁部を該上部開口に沿って開放し、上記上部開口からケーシング外部に排出される上記軽量物の受部を、上記上部開口の外周側面に接続したものであることを特徴とする上記第１〜７の何れかに記載の旋回気流による選別装置により構成される。
【００２５】
このように構成すると、上記ケーシングの上部開口の上縁部の例えば全周から、軽量物を当該ケーシング外に排出することができ、上記上縁部の外側に配置された受部によって軽量物を効率的に回収することができる。
【００２６】
第１０に、上記第６における上記空気噴射部と、上記第７における上記空気噴射部とを１つの上記ケーシングに両方設け、両方の上記空気噴射部から空気を噴射することにより、上記ケーシング内において同一方向の旋回気流を発生し得るように構成したものであることを特徴とする旋回気流による選別装置により構成される。
【００２７】
このように構成すると、空気導入管により、ケーシング側面からケーシング内に空気を導入することにより同ケーシング内に形成された旋回気流を、上記ケーシング内部に配置された空気噴射ノズルからケーシング内周側面の方向に噴射された空気によって形成された旋回気流により補助することができる。これにより、例えば木片等の比較的重量大の軽量物を確実に上方に飛ばすことができる。
【発明の効果】
【００２８】
本発明によれば、ケーシング内において、回転する分散板（分散羽根）によって、逆截頭円錐形状のケーシング内の全周に亘って重量物と軽量物の空間的な分離作用を行うことができるため、重量物と軽量物とを精度良く選別することができる。
【００２９】
また、ケーシング内の旋回気流は狭い円環状空間を通過してケーシングの上部開口に向かうので、円環状空間を通過した後もその流速が極力低下することなく、ケーシング内周側面に沿う良好な旋回気流を維持し得る。よって、例えば木片等の比較的重量大の軽量物であっても確実に上方に吹き飛ばすことができる。
【００３０】
また、分散板を上下方向に位置調整することができるので、選別すべき廃棄物における重量物と軽量物との比率、種類等、廃棄物の性状等に応じて、適切な位置に分散板を配置して、精度の高い選別動作を行うことができる。
【００３１】
また、分散板の回転数を、廃棄物の種類、処理量、粒度等に応じて最適の値に調節することができ、より精度の高い選別を行うことができる。
【００３２】
また、廃棄物が飛ばされる位置におけるケーシング側面の傾斜角度を緩やかにすることにより、より小さな力で軽量物をケーシング側面の内周側面に沿って上方に持ち上げることができ、非常に効率的な選別装置を実現し得る。
【００３３】
また、旋回気流により上記ケーシングの上部開口に到達した軽量物を、回収用円筒を通過して排出口からケーシング外部に確実に排出することができる。
【００３４】
また、ケーシングの上部開口の上縁部の周囲から、軽量物を当該ケーシング外に排出することができ、上記上縁部の外側に配置された受部によって軽量物を効率的に回収することができる。
【００３５】
また、ケーシングの内部方向に向かう旋回気流を、ケーシング内周側面の方向（外部方向）に向かう旋回気流により補助することができ、これにより、例えば木片等の比較的重量大の軽量物を確実に上昇に飛ばすことができる。
【図面の簡単な説明】
【００３６】
【図１】本発明に係る旋回気流による選別装置の側面図である。
【図２】同上装置の平面図である。
【図３】図１のＸ−Ｘ線断面図である。
【図４】同上装置の一部切欠側面断面図である。
【図５】（ａ）は同上装置の円筒ケースの支持構造を示すための横断面図、（ｂ）は（ａ）の側面断面図である。
【図６】同上装置の分散機構の駆動構造を示す当該分散機構の側面断面図である。
【図７】同上装置の他の実施形態を示すものであり、（ａ）は他の実施形態の概略平面図、（ｂ）は（ａ）の側面断面図である。
【図８】同上装置のさらに他の実施形態を示すものであり、（ａ）は同上装置の他の実施形態の平面図、（ｂ）は同上他の実施形態の上部ケーシング近傍の側面断面図である。
【図９】本発明における逆截頭円錐形状を説明するための図である。
【発明を実施するための形態】
【００３７】
以下、本発明に係る旋回気流による選別装置について詳細に説明する。
【００３８】
図１は同上選別装置の側面図、図２は同上選別装置の平面図である。これらの図において、１は逆截頭円錐形状のケーシング２を中央に支持する機枠であり、平面視正方形の上部機枠１ａと（図２、図３参照）、当該上部機枠１ａの４つのコーナ部各々から垂直下方に設けられた４本の脚部１ｂとから構成されており、上記上部機枠１ａが水平状態となるように地面Ｇ上に立設されている。上記上部機枠１ａの各片（四辺）の中央部には、後述の下部ケーシング３を固定支持するための支持台板１ｃ（４か所）が各々固定されている。１ｄは上記各支持台板１ｃの下部補強板である。また、上記上部機枠１ａの正方形の対角線の中心に、後述の逆截頭円錐形状のケーシング２の共通中心軸Ｃが位置している。
【００３９】
尚、以下の説明において、図９に示すように円錐形の頭部を水平にカットして上下開口とし、上下を逆にした形状を「逆截頭円錐形状」といい、下方の径小の開口を下部開口、上方の径大の開口を上部開口という。また、円錐の側面（母線Ｍ）の傾斜角度は、上記下部開口を含む水平面から母線Ｍの立ち上がり角度θにより表現する。よって、角度θが大きい場合は母線（側面）の傾斜角度が急な逆截頭円錐形状となり、角度θが小さい場合は母線（側面）の傾斜角度が緩やかな逆截頭円錐形状となる。
【００４０】
上記機枠１の中央部に、共通中心軸Ｃを中心とする上下開口の逆截頭円錐形状のケーシング２が固定されている。当該ケーシング２は、その外周面の傾斜角度の異なる複数（本実施形態では３つ）の逆截頭円錐形状のケーシング３，４，５を接続することにより構成されている。
【００４１】
具体的には、上記共通中心軸Ｃを中心軸とする上下開口の逆截頭円錐形状の下部ケーシング３と、上記下部ケーシング３の円環状上部フランジ３ａに円環状下部フランジ４ａを以って接続され、上記共通中心軸Ｃを中心とする上下開口の逆截頭円錐形状の中間部ケーシング４と、該中間部ケーシング４の円環状上部フランジ４ｅに円環状下部フランジ５ａを以って接続され、上記共通中心軸Ｃを中心軸とする上下開口の逆截頭円錐形状の上部ケーシング５とから構成されている。
【００４２】
上記下部ケーシング３は、上記３つのケーシング中、中間の傾斜角度θ１（θ１＜θ２、θ１＞θ３）の側面を有している。その円環状上部フランジ３ａより若干低位置の外周面における互いに９０度隔てた同一高さの４か所から、外周方向に支持板７（４か所、図２参照）が水平に突設されており、これら支持板７の裏面が対向する上記支持台板１ｃ上に載置され、支持板７と上記支持台板１ｃとが各々ボルト及びナットにより固定されている。これにより、当該下部ケーシング３は共通中心軸Ｃを中心として上記機枠１に水平に固定されている。また、これらの支持板７上面と上記円環状上部フランジ３ａ裏面との間には、半径方向に延びる各一対の補強板８が設けられている。
【００４３】
この下部ケーシング３の下部開口３ｂ近傍の外周面には当該ケーシング３内部に貫通する案内管３ｃが接続されており、当該案内管３ｃ内部には、後述のタイミングベルト１７が挿通される。また、当該下部ケーシング３の内部中央には、後述の回転シャフト１１（図４参照）を回転自在に支持するための円筒ケース１２が設けられている。
【００４４】
この円筒ケース１２は、図５に示すように、下部ケーシング３の上部開口３ｄの直径に沿って設けられた支持杆３ｅ，３ｅ’によりその円筒の中心が上記共通中心軸Ｃと一致するように固定支持されている。３ｆ，３ｆは上記支持杆３ｅ，３ｅ’上に設けられた保護板であり、上方から落下してくる重量物が上記支持杆３ｅ，３ｅ’に直接衝突することを防止して上記支持杆３ｅ，３ｅ’を保護するものである。
【００４５】
上記中間ケーシング４は、その下部開口４ｂの直径が上記下部ケーシング３の上部開口３ｄの直径と同一であり、上記下部開口４ｂに設けられた円環状下部フランジ４ａと上記下部ケーシング３の上部円環状フランジ３ａとをボルト及びナットにより締結することで、共通中心軸Ｃを中心として上記下部ケーシング３の上部開口３ｄに接続されている。この中間ケーシング４の側面の傾斜角度θ２は最大であり（θ２＞θ１、θ２＞θ３）、上記３つのケーシング中、最も急な傾斜の側面を有している。
【００４６】
この中間ケーシング４の略中間位置には、該ケーシング４の外周側面を全周に亘り包囲する環状の空気導入ダクト６が取り付けられている。この空気導入ダクト６は、上記中間ケーシング４の中間位置の直径より径大であって、当該中間ケーシング４を包囲する内筒６ａ（図２参照）と、当該内筒６ａより径大で当該内筒６ａを取り囲む外筒６ｂと、上記内筒６ａと上記外筒６ｂの上下開口を閉鎖する円環状上蓋６ｃ及び円環状下蓋６ｄとから構成されており、上記円環状上蓋６ｃと上記円環状下蓋６ｄの各内周縁は、上記中間ケーシング４の外周面に気密状態で溶接等により接続されている。かかる構成により、上記空気導入ダクト６内部には上記中間ケーシング４を包囲する環状空気通路６ｅが形成されている。
【００４７】
上記外筒６ｂの一端部には上記環状空気通路６ｅに空気を導入する空気導入口６ｇが形成されており、図示しない送風ファンから所定風量の空気を水平方向（矢印Ａ方向）に導入し得るように構成されている。
【００４８】
上記内筒６ａには、上記中間ケーシング４の外周面に向けて平面視右回りに傾斜した複数の空気導入管９（本実施形態では８本）が等間隔で設けられており（図３参照）、当該空気導入管９の各先端部は上記中間ケーシング４の外周に各々設けられた空気導入用の貫通口６ｆ（８か所）を介して中間ケーシング４内に開口している。従って、上記環状空気通路６ｅは上記各空気導入管９を介して中間ケーシング４内部に連通している。
【００４９】
従って、上記空気導入口６ｇから上記環状空気通路６ｅ内に所定風量の空気を導入すると、当該空気は、上記環状空気通路６ｅを介して、上記複数の空気導入管９から中間ケーシング４内に、該ケーシング４の内周側面４ｄに沿う右回りの旋回方向（図３、矢印Ｂ方向）に導入され、上記中間ケーシング４内において、該ケーシング４内周側面４ｄに沿う上向き旋回気流Ｂ’を形成し得るように構成されている。尚、上記ケーシング４は、上側に径大となっており、かつ、当該ケーシング４に接続された上記ケーシング５も同じく上側に径大となっていることにより、当該ケーシング４内に導入された空気は、抵抗が少ない上部開口４ｃ，５ｃの方向、即ち上向きの旋回気流Ｂ’となって上昇する。さらに、この効果を高めるために、空気導入管９を若干上向きにすることもできる（例えば、上記導入管９を水平から４５度の範囲内の角度で上向きに設置する）。
【００５０】
また、上記旋回気流は、後述の分散板１５（下部位置Ｈ２）の外周縁と上記上部ケーシング５の内周側面５ｄとの間に形成された比較的狭い円環状空間Ｓ１（幅ｔ１）を通過して上方に抜けていくため、側面の傾斜の最も急な中間ケーシング４から、傾斜の最も緩やかな上部ケーシング５に移行してもその流速が低下することはない。
【００５１】
上記上部ケーシング５は、その下部開口５ｂの直径が上記中間ケーシング４の上部開口４ｃの直径と同一であり、上記下部開口５ｂに設けられた円環状下部フランジ５ａと上記中間ケーシング４の円環状上部フランジ４ｅとをボルト及びナットにより締結することで、共通中心軸Ｃを中心として上記中間ケーシング４の上部開口４ｃに接続されている。この上部ケーシング５の側面の傾斜角度θ３は最も小であり（θ３＜θ２、θ３＜θ１）、上記３つのケーシング中、最も緩やかな傾斜の側面を有している。この上部ケーシング５の上部開口５ｃの直径は、当該ケーシング２中最も大きく、上方に広く開口した状態となっている。
【００５２】
次に、上記ケーシング２内部中央部に、上記共通中心軸Ｃを中心として回転可能に設けられた分散機構１０の構成について説明する（図１、図４、図６参照）。この分散機構１０は、上記共通中心軸Ｃと中心軸を共通する回転シャフト１１の上端部に、回転シャフト１１と共に矢印Ｄ方向に回転可能、かつ上下方向に位置調整可能に設けられた分散板１５を具備している。
【００５３】
上記回転シャフト１１は、図６に示すように、上記下部ケーシング３の内部に固定された上記円筒ケース１２内において、上下２か所のベアリング１２ａ，１２ｂにより、矢印Ｄ方向に回転自在に支持され、かつ上記シャフト１１と一体の上記ベアリング１２ａの下部を、上記円筒ケース１２内周の段部１２ｃに係止することにより、垂直方向には固定された状態で当該段部１２ｃによって垂直に支持され、これにより上記シャフト１１の先端部は上記中間ケーシング４の上部開口４ｃ近傍の位置まで達している（図４参照）。
【００５４】
上記回転シャフト１１の先端部１１ｂには、分散板１５の中央支持筒１５ａの下端１５ｂの開口１５ｂ’が挿通され、上記中央支持筒１５ａの内周側面１５ｃと上記シャフト１１の先端部１１ｂ外周面１１ｂ’との間に、ボルト挿入による軸方向荷重によって半径方向の面圧を発生し、半径方向に締結する公知のリング状締結具１８（例えば実開昭５４−１１８９７１号公報の締結具）を介挿し、当該リング状締結具１８によって上記シャフト１１の先端部１１ｂと上記中央支持筒１５ａの下端１５ｂ（内周側面１５ｃ）とを締結する。これにより、上記回転シャフト１１と上記中央支持筒１５ａ及び上記分散板１５は一体に回転するように構成される。
【００５５】
上記中央支持筒１５ａの上端部には、上記共通中心軸Ｃを中心とする円盤からなる分散板１５が水平に固定されており、当該分散板１５の上面には、９０度毎の角度差を以って長方形状の４枚の分散羽根１６が垂直に起立状態で固定されている（図２参照）。これらの分散羽根１６は当該分散板１５を回転させることで、上方から投入されてくる廃棄物を半径方向外方（上部ケーシング５の内周側面５ｄの方向）に飛散させるものである。
【００５６】
上記円筒ケース１２の上端部には、さらに上記回転シャフト１１の周りを包囲し、上記共通中心軸Ｃを中心軸とする上下方向案内用の円筒ケース１３が接続固定されており、当該円筒ケース１３の上端部１３ａは上記回転シャフト１１の上端部１１ｂ近傍まで達している。
【００５７】
そして、上記分散板１５の裏面には、上記共通中心軸Ｃを中心とし、上記中央支持筒１５ａの外側を包囲する上下方向案内用の下端開口円筒１９が固定されており、当該円筒の下端には環状部材２０が固定されている。図４又は図６の分散板１５の実線位置（上部位置Ｈ１）においては、当該円筒１９の下端開口２０ａ内に、上記円筒ケース１３の先端部１３ａが若干挿入された状態となっている。この状態において、上記回転シャフト１１を回転することにより、上記シャフト１１と共に上記中央支持筒１５ａ及び上記円筒１９、さらに上記分散板１５を回転させることができる。
【００５８】
上記分散板１５は、上記リング状締結具１８のボルトを緩めて上記回転シャフト１１と上記中央支持筒１５ａとの締結を解除した状態で、当該分散板１５を下降させ、上記環状部材２０を上記回転シャフト１１の段部１１ｃに当接させ、上記リング状締結具１８を再び締結することにより、図４又は図６の二点鎖線位置（下部位置Ｈ２）に位置させることができる。このとき、上記円筒ケース１３は、上記中央支持筒１５ａと上記円筒１９の間に挿入された状態となる。当該位置Ｈ２においては、上記円筒ケース１３の先端部１３ａが上記分散板１５の裏面近傍に位置する。この状態においても、上記回転シャフト１１を回転することにより、上記シャフト１１と共に上記中央支持筒１５ａ及び上記円筒１９、さらに上記分散板１５を回転させることができる。勿論、分散板１５を、上記上部位置Ｈ１と上記下部位置Ｈ２の中間の任意の位置に固定することも可能である。当該分散板１５の上下方向の位置は、分離すべき廃棄物の性状等によって最適位置を選択するものである。
【００５９】
上記回転シャフト１１の下端は、上記下部ケーシング３の下部開口３ｂ近傍に位置しており、当該回転シャフト１１の下端にはプーリ１１ａが接続されている。上記プーリ１１ａにはタイミングベルト１７が掛け回されており（図１参照）、当該ベルト１７の他端は下部ケーシング３側面の上記案内管３ｃよりケーシング３外部に導出され、上記機枠１に隣接して設けられた駆動モータＭのプーリ２２に掛け回されている。従って、上記回転シャフト１１は上記駆動モータＭの回転により上記タイミングベルト１７、プーリ１１ａを介して、上記共通回転軸Ｃを中心として矢印Ｄ方向に回転駆動され、これにより上記分散板１５も上記共通中心軸Ｃを中心に矢印Ｄ方向に回転し得るように構成されている。尚、図６中、１２ｄは上記プーリ１１ａの保護カバー、２５ａは上記下端開口２０ａに設けられ該下端開口２０ａと上記円筒ケース１３外周との間のシール部材、２５ｂ，２５ｃは上記回転シャフト１１外周と上記円筒ケース１２内面との間のシール部材である。
【００６０】
上記分散板１５の直径Ｔ１は（図４参照）、上記上部ケーシング５の下部開口５ｂ（上記中間ケーシング４の上部開口４ｃ）の直径Ｔ２より径小であり、上記分散板１５が下部位置Ｈ２に位置している状態おいて、上記分散板１５の外周縁と上記上部ケーシング５の下部開口５ｂの位置の内周側面５ｄ（中間ケーシング４の上部開口４ｃの位置の内周側面４ｅ）との間には幅ｔ１の円環状空間Ｓ１が形成されるように構成されている。
【００６１】
また、上記分散板１５が上部位置Ｈ１に位置している状態おいては、上記分散板１５の外周縁と上記上部ケーシング５の上記分散板１５の位置の内周側面５ｄとの間には幅ｔ２の円環状空間Ｓ２が形成されるように構成されている。
【００６２】
従って、上記中間ケーシング４から上記上部ケーシング５に向かう旋回気流は、上記分散板１５の位置に応じて、狭い円環状空間Ｓ１又はＳ２、或いはその中間の円環状空間を通過して上昇するため、上記上部ケーシング５の側面の傾斜が緩やかであっても、その流速が極力低下することなく、高い流速を保ったまま上方への旋回気流を形成することができる。
【００６３】
また、上記中間ケーシング４から、狭い空間である上記円環状空間Ｓ１又はＳ２を通過する旋回気流Ｂ’は、噴流に近い状態となって傾斜角度の緩やかな上記上部ケーシング５に移行していくため、当該旋回気流Ｂ’はコアンダ効果によって傾斜の急な上記中間ケーシング４の内周側面４ｄから、傾斜の緩やかな上記上部ケーシング５の内周側面５ｄに回り込むため、上記旋回気流Ｂ’は上記上部ケーシング５に移行しても上記内周側面５ｄに沿う高密度の空気流を維持することができる。
【００６４】
２３は、上記上部ケーシング５の上面を覆う軽量物の回収用円筒であり、上記上部ケーシング５の上部開口５ｃと同一の直径を有し、上記共通中心軸Ｃを中心とした円筒により構成され、上記上部ケーシング５の上部開口５ｃに溶接等により接続されている。この回収用円筒２３の上面側は中央部に上記共通中心軸Ｃを中心とする上面開口の投入円筒２３ｂを有する上蓋２３ａにより閉鎖されており、上記投入円筒２３ｂから上部ケーシング５内部中央の上記分散板１５上に廃棄物を投入し得るように構成されている。
【００６５】
上記回収用円筒２３の側面には排出口２３ｃが一体に設けられており、上記上部ケーシング５内周に沿った旋回気流に沿って上昇してきた軽量物を矢印Ｅ方向に排出し得るように構成されている（図２参照）。
【００６６】
上記排出された軽量物はホース等により所定位置に誘導され回収ボックスに回収される。
【００６７】
本発明は上述のように構成されているので、次に本発明の機能を説明する。
尚、本実施形態においては、廃棄物は建築廃材であり、重量物としてはコンクリート塊、土砂等の重量物を含み、軽量物としては、プラスチック片、木片、プラスチックフィルム等を含み、これらの重量物と軽量物を分離するものとする。
【００６８】
ここでは、まず、軽量物としては比較的重い木片等を含む場合を説明する。この場合、分散板１５は図１における二点鎖線位置（下部位置Ｈ２）に位置しているものとする。そして、駆動モータＭを駆動して上記分散板１５を所定の回転速度にて矢印Ｄ方向に回転させる。上記分散板１５を下部位置Ｈ２に位置させると、上記円環状空間Ｓ１の面積が最も小さくなるので、円環状空間Ｓ１から上部ケーシング５の内周側面に沿う旋回気流の流速を最も速くすることができる。よって、木片等の比較的重い軽量物を上方に持ち上げるのに適している。
【００６９】
図示しない送風ファンから所定風量の空気を空気導入口６ｇ内に矢印Ａ方向に噴射導入する。すると、上導入された空気は、上記環状空気通路６ｅ内を右回りに進み、上記８個の空気導入管９から上記中間ケーシング４内に導入され、当該ケーシング４内に導入された空気は、上記ケーシング４の内周側面４ｄに沿って右回り（矢印Ｂ方向）の旋回気流Ｂ’を形成し、当該右回り旋回気流Ｂ’を形成しながら幅ｔ１の上記円環状空間Ｓ１を通って上部ケーシング５内に導入される。
【００７０】
このとき、上記旋回気流Ｂ’は、上記中間ケーシング４内に導入された後、幅ｔ１の狭い円環状空間Ｓ１を通過して上部ケーシング５に移行するので、側面の傾斜が最も急な当該中間ケーシング４から、側面の傾斜の最も緩やかな上部ケーシング５に移行しても、コアンダ効果によって当該上部ケーシング５に移行後も流速が極力低下することなく、該上部ケーシング５内周側面５ｄに沿った直径の大きい右回り旋回気流を維持し、当該上部ケーシング５の上部開口５ｃに到達し、さらに回収用円筒２３内を旋回して排出口２３ｃから外部に排出される。
【００７１】
かかる状態において、建築廃材を上記回収用円筒２３の投入円筒２３ｂよりケーシング２内に投入する。
【００７２】
すると、建築廃材は、回転中の分散板１５の上部に落下供給される。上記分散板１５に衝突した建築廃材は、矢印Ｄ方向に回転中の分散羽根１６に衝突し、回転方向に沿って（水平な半径方向、矢印Ｄ方向、内周側面５ｄの方向）に飛ばされる（図２、図３の軌跡Ｄ１，Ｄ２参照）。
【００７３】
このとき、コンクリート塊、土砂等の重量物は、上記分散羽根１６との衝突により、例えば図２（図３）の軌跡Ｄ１のように、長い距離を飛んで上部ケーシング５の内周側面５ｄ近傍に到達し、即ち、より遠くに飛ばされ、一方、プラスチック片、木片、プラスチックフィルム等の軽量物は、上記分散羽根１６との衝突により、例えば図２（図３）の軌跡Ｄ２のように、重量物よりは短い距離を飛んで上記上部ケーシング５の内周側面５ｄ近傍に到達し、即ち、重量物と比較して近くに飛ばされ、かかる軌跡差により重量物と軽量物が分離され、重量物と軽量物との間に空気層が形成される。このように、重量物と軽量物の比重差（重量差）に基づく軌跡差を利用して、重量物と軽量物とを空間的に分離する。
【００７４】
かかる廃棄物の分離作用は、上記分散板１５の回転によって上記上部ケーシング５（ケーシング２）の内周の全周（３６０度）に亘って行われるので、軽量物と重量物の分離を確実に、かつ効率的に行うことができる。
【００７５】
上記上部ケーシング５の内周側面５ｄに到達した重量物（コンクリート塊、土砂等）又は到達する前の重量物は、その重量により、旋回気流によって上方に飛ばされることなく、上記円環状空間Ｓ１を介して下方に落下する。即ち、上記中間ケーシング４及び下部ケーシング３を介して、下部開口３ｂから下方に落下し、上記下部開口３ｂ下方に蓄積される（図１重量物２４参照）。このとき、重量物と軽量物の分離が、上記回転する上記分散板１５によって確実に行われているので、重量物と一緒に軽量部が下方に落下することを効果的に防止することができる。
【００７６】
上記分散羽根１６に衝突し、上記軌跡Ｄ２に沿って上部ケーシング５の内周側面５ｄに飛ばされた軽量物は、上部ケーシング５の内周側面５ｄに沿う右回り旋回気流Ｂ’によって、当該旋回気流と共に上部ケーシング５の上方に飛ばされ、上記旋回気流と共に上記上部ケーシング５の上部開口５ｃから上記回収用円筒２３に到達し、当該回収用円周２３の内周側面を右回りに旋回しながら、排出口２３ｃから外部に排出される。
【００７７】
上記排出口２３ｃには回収ホース等が接続されており、該回収ホースの他端部に設置された回収ボックスに上記軽量異物を収集することができる。
【００７８】
上記上部ケーシング５の側面の傾斜角度（θ３）が中間ケーシング４の傾斜角度（θ２）、下部ケーシング３の傾斜角度（θ１）より緩やかであるので、当該内周側面５ｄに到達した軽量物の落下方向に作用する力（上部ケーシング５の側面（内周側面５ｄ）に沿う下向きの力）を低減することができ、より低い流速の旋回気流Ｂ’によって軽量物を上方に運ぶことができる。従って、上記上部ケーシング５の側面の傾斜角を緩やかにすることにより、木片等の比較的重い軽量物であっても、上記旋回気流Ｂ’によって効果的に上方に運ぶことができる。
【００７９】
尚、ケーシングの側面の傾斜角度が緩やかになると、旋回気流はケーシングの内周側面から中心軸方向に分散して空気密度が低下する傾向にあるが、本発明では中間ケーシング４と上部ケーシング５の間に、上記分散板１５を設けて狭い円環状空間Ｓ１，Ｓ２を形成し、当該円環状空間Ｓ１，Ｓ２を旋回気流が通過するように構成することにより、コアンダ効果によって旋回気流の分散を防止し、傾斜角度が緩やかな上記上部ケーシング５に移行しても内周側面５ｄに沿う空気密度の高い（流速の高い）旋回気流Ｂ’を維持することができ、これにより、比較的重量の大きい軽量物を容易に上昇させることができるように構成している。
【００８０】
このように分散板１５を下部位置Ｈ２に固定することにより、木片等の比較的重い軽量物を含む建築廃材を、コンクリート塊等の重量物と軽量物に精度良く分離することができる。
【００８１】
次に、建築廃材に木片等の比較的重い軽量物を含まず、プラスチックフィルム等の軽量物とコンクリート塊等の重量物とを分離する場合は、上記分散板１５の位置を上部位置Ｈ１（図１、図４参照）に固定する。このようにすると、上記分散板１５の外周縁と上記上部ケーシング５の内周側面５ｄとの間の幅ｔ２は、上記下部位置Ｈ２における上記幅ｔ１の場合より広くなり、円環状空間Ｓ２の面積が拡大するので、上記上部ケーシング５の内周側面５ｄを上昇する旋回気流の流速は若干低下する。しかしながら、プラスチックフィルム等の重量の軽い軽量物を上方に吹き上げることは可能である。
【００８２】
上記分散板１５を上記上部位置Ｈ１に固定した場合において、上方から投入される建築廃材の内、コンクリート塊等の重量物は上記軌跡Ｄ１に沿って上部ケーシング５内部の中間位置の内周側面５ｄ方向に飛ばされ、一方、プラスチックフィルム等の軽量物は分散羽根１６により上記軌跡Ｄ２に沿って上記ケーシング５の中間位置の上記内周側面５ｄに到達する。従って、両者の軌跡差により、上記上部ケーシング５の全周（３６０度）に亘って軽量物と重量物の分離作用が働き、上記と同様に、重量物は落下して下部ケーシング３の下部開口３ｂより下方に落下する。
【００８３】
一方軽量物は、上記内部ケーシング５の中間位置の内周側面５ｄから、上記右回り旋回気流Ｂ’によって上方に飛ばされ、当該旋回気流と共に上記回収用円筒２３に到達し、当該回収用円周２３の内周側面を右回りに旋回しながら、上記排出口２３ｃから外部に排出される。
【００８４】
このように、木片等の比較的重い軽量物を含まない場合は、上記分散板１５の位置を上部位置Ｈ１とすることにより、適切に重量物と軽量物とを選別することができる。
【００８５】
勿論、上記空気導入口６ｇに導入される空気の風量を増加又は減少させることにより、上記ケーシング２内に供給される旋回気流の流速を上昇又は低下させることができ、軽量物の中に木片等の比較的重量の大の軽量物が含まれ、分離精度を向上させる場合は、空気風量を増加させることも可能である。
【００８６】
また、上記分散板１５の位置は、対象とする廃棄物の性状等により、上記上部位置Ｈ１と下部位置Ｈ２の中間の適所に設定しても良い。さらに、分散板１５の位置を固定した状態で、導入される空気の圧力を上昇又は低下することにより、調整することもできる。
さらに、廃棄物の処理量や、性状等により、駆動モータＭの回転数を変えることにより、上記分散羽根１６の回転数を変化させることもできる。例えば、処理量が多い場合、回転数を上げて分散範囲を広げることにより重量物と軽量物の分散性を維持することができる。また、重量物と軽量物の大きさが異なる場合や比重が大きく異なる場合には、回転数を調整することにより、両者の軌跡差を大きくすることができ、より精度の高い選別を行うことができる。尚、回転数は「０」から重量物が上部ケーシング５の最上部に届かない範囲で、処理量や廃材に含まれる重量物と軽量物の性状差や含有割合に合わせて変えることができる。
【００８７】
図７（ａ）（ｂ）に示すものは、本発明の「他の実施形態」であり、上記実施形態と対応部分には同一符号を付している。上記実施形態と異なる点は、上記ケーシング２内における中央部分に、当該中央部分から外部方向に向けて空気を噴射する空気噴射ノズル２１を設けたものである。さらに、この「他の実施形態」では、逆截頭円錐形状のケーシング２は、上記実施形態（図１）の上部ケーシング５に対応するものであるが、空気導入ダクト６は当該ケーシング５の側面に設けており、当該ケーシング５側面に開口した複数の空気導入口６ｆから当該ケーシング５内に空気を矢印Ｂ方向に噴射して（図７（ａ）参照）、上向きの右回り旋回気流Ｂ’を形成している。上記上部ケーシング５の下部開口５ｂは短い円筒５’を接続して下方に開口している。
【００８８】
上記空気噴射ノズル２１は、上記分散板１５の裏面側における当該分散板１５の面積より下方のエリアＩ（上方から落下してくる廃棄物が当たらないエリアＩ）において、回転シャフト１１の周りに円周方向に８個の空気噴射ノズル２１を等間隔に設け、これらノズル２１から上部ケーシング５の内周側面５ｄの方向（若干上向きの外方向、円環状空間Ｓ１又はＳ２の方向）に、右回りの空気を矢印Ｆ方向に噴射し、各空気流によって右回りの旋回気流Ｆ’を発生させるものである。尚、上記空気噴射ノズル２１には図示しない送風ファンから送風管を介して空気を導入する。
【００８９】
この空気噴射ノズル２１から噴射される旋回気流Ｆ’は、上記空気導入ダクト６による右回りの旋回気流Ｂ’を補助する役割を有しており、木片等の比較的重量のある軽量物を確実に上昇させる機能を有している。尚、上記空気噴射ノズル２１を図１の実施形態の中間ケーシング４における上記分散板１５の下方エリアに設けても良い。
【００９０】
従って、当該「他の実施形態」においては、上記上部ケーシング５の内周側面５ｄに沿う旋回気流Ｂ’と共に、上記内部の空気噴射ノズル２１から上記環状空間Ｓ１又はＳ２（外部方向）に向けての旋回気流Ｆ’を発生させる。この状態において、投入円筒２３ｂから比較的重い軽量物（木片等）を含む廃棄物を投入すると、上記実施形態と同様に、廃棄物が回転中の分散板１５の分散羽根１６に衝突し、重量物と軽量物が共に上部ケーシング５の内周側面５ｄ方向に飛ばされ、それらの軌跡差によってコンクリート塊等の重量物と木片等の軽量物が空間的に分離状態となる。このような軽量物と重量物との分離作用は、上記実施形態と同様に、上記上部ケーシング５の内周側面５ｄの全周（３６０度）に亘って行われる。
【００９１】
その後、軽量物は上記上部ケーシング５の内周側面に沿った右向き旋回気流Ｂ’及びＦ’によって上方に飛ばされ、上記上部ケーシング５上部の回収用円筒２３の上記排出口２３ｃから外部に排出される。重量物は上記ケーシング５の下部開口５ｂから下方に落下していく。
【００９２】
このようにケーシングの内部の中央部分に補助用の空気噴射ノズル２１を設けて、当該ノズル２１からの空気によってケーシング４（５）内周側面の方向に旋回気流を噴射することによって、上記ケーシング４（５）の側面から当該ケーシング４（５）内に噴射され、当該ケーシング４（５）の内周側面４ｄ（５ｄ）に沿って発生する旋回気流を補助することができ、これにより木片等の比較的重量の大きい軽量物とコンクリート塊等の重量物とを精度良く選別することができる。尚、図７中矢印Ｇは旋回気流を示す。
【００９３】
図８に示すものは、上記廃棄物回収円筒２３の「他の実施形態」であり、上記上部ケーシング５の上記上部開口５ｃの上縁部５ｆを全周に亘り開放し、上記上部開口５ｃの全周から該ケーシング５外部に軽量物が排出されるように構成したものである（矢印Ｊ参照）。そして、上記上部ケーシング５の上記上縁部５ｆから外部に排出される上記軽量物の受部としての底板２３ｄを、上記上部開口５ｃの外周側面５ｄ’に接続形成したものである。
【００９４】
より具体的には、上記廃棄物回収円筒２３の直径を上記上部ケーシング５の上部開口５ｃより径大とし、その円筒２３の外周側面２３ｅの下端を上記上縁部５ｆより低位置に延長し、上記外周側面２３ｅの下端外周部（全周）と上記外周側面５ｄ’（全周）とを円環状の受部としての底板２３ｄにて閉鎖する。
【００９５】
このように構成すると、上記上部ケーシング５の上部開口５ｃの上縁部５ｆの全周から、軽量物を当該ケーシング５外に排出することができ、上記上縁部５ｆの外側に配置された受部としての上記底板２３ｄによって軽量物を回収することができる。尚、上記底板２３ｄに移行した軽量物は上記外周側面２３ｅの一端に設けられた排出口２３ｃからケーシング外部に排出することができる。尚、上記上縁部５ｆの開口は必ずしも全周でなくても良く、一部を開口する構成でも良い。
【００９６】
また、上記旋回気流を発生させるためには、図１のようにケーシング２の外側からケーシング内部方向に空気を導入することにより行っても良いし（旋回気流Ｂ’のみ、内部の空気噴射ノズル２１はなし）、図７に示すようにケーシングの内部に設置した空気噴射ノズル２１からケーシングの内周側面の方向（外部方向）に空気を噴射することにより行っても良く（旋回気流Ｆ’のみ、ケーシング外部からの空気の導入はなし）、さらにはこれらの空気噴射（貫通孔６ｆからの空気の噴射による旋回気流Ｂ’と、空気噴射ノズル２１からの空気の噴射による旋回気流Ｆ’）を同時に行っても良い。
【００９７】
以上のように、本発明によれば、ケーシング２内において、回転する分散板１５（分散羽根１６）によって、逆截頭円錐形状のケーシング２内の全周に亘って重量物と軽量物の空間的な分離作用を行うことができるため、重量物と軽量物とを精度良く選別することができる。
【００９８】
また、ケーシング２内の旋回気流Ｂ’は狭い円環状空間Ｓ１，Ｓ２を通過してケーシングの上部開口５ｃに向かうので、円環状空間Ｓ１，Ｓ２を通過した後もその流速が低下することを極力抑えることができ、ケーシング２内周側面（５ｄ等）に沿う良好な旋回気流を維持し得る。よって、例えば木片等の比較的重量大の軽量物であっても確実に上方に吹き飛ばすことができる。
【００９９】
また、分散板１５を上下方向に位置調整することができるので、選別すべき廃棄物における重量物と軽量物との比率、種類等、廃棄物の性状等に応じて、適切な高さに分散板１５を配置して、精度の高い選別動作を行うことができる。
【０１００】
また、廃棄物が飛ばされる位置におけるケーシング側面の傾斜角度を緩やかにすることにより、より小さな力（より低い流速の旋回気流）で軽量物をケーシング側面の内周側面５ｄに沿って上方に持ち上げることができ、非常に効率的な選別装置を実現し得る。
【０１０１】
また、旋回気流により上記ケーシング２の上部開口５ｃに到達した軽量物を、回収用円筒２３を通過して排出口２３ｃからケーシング外部に確実に排出することができる。
【０１０２】
また、ケーシング２の上部開口５ｃの上縁部５ｆの例えば全周から、軽量物を当該ケーシング外に排出することができ、上記上縁部５ｆの外側に配置された受部（底板２３ｄ）によって軽量物を効率的に回収することができる。
【０１０３】
また、ケーシング２の内部方向に向かう旋回気流Ｂ’を、上記ケーシング内の空気噴射口２１からケーシング内周側面の方向（外部方向）に向かう旋回気流Ｆ’により補助することができ、これにより、例えば木片等の比較的重量大の軽量物を確実に上昇に飛ばすことができる。
【産業上の利用可能性】
【０１０４】
本発明によれば、建築廃材等の重量物と軽量物とが混在する廃棄物において、軽量物と重量物とを精度よく選別することができ、軽量物として各種の重量のものが含まれる場合においても広く対応することが可能な選別装置を実現し得るものである。
【符号の説明】
【０１０５】
２      ケーシング
３      下部ケーシング
３ｂ    下部開口
４      中間ケーシング
５      上部ケーシング
５ｃ    上部開口
５ｄ    内周側面
５ｄ’  外周側面
５ｆ    上縁部
９      空気導入管
６      空気導入ダクト
６ｆ    貫通孔
１５    分散板
１６    分散羽根
２１    空気噴射ノズル
２３    回収用円筒
２３ｃ  排出口
２３ｄ  底板（受部）
Ｂ’    旋回気流
Ｆ’    旋回気流
Ｃ      共通中心軸
Ｈ１    上部位置
Ｈ２    下部位置
【図１】
2015223536.tif 000003
【図２】
2015223536.tif 000004
【図３】
2015223536.tif 000005
【図４】
2015223536.tif 000006
【図５】
2015223536.tif 000007
【図６】
2015223536.tif 000008
【図７】
2015223536.tif 000009
【図８】
2015223536.tif 000010
【図９】
2015223536.tif 000011